(57)【要約】【課題】固定部分での割れや変形を防止して、且つ外観もよい荷受台昇降装置における荷受台の側面カバーを提供する。【解決手段】荷台と地上との間で荷受台２が昇降自在に設けられるとともに、荷受台２の両側部に側面カバー７が設けられた荷受台昇降装置において、側面カバー７の上面７２には、上面凹部７２ａがその長手方向に亘って形成され、上面凹部７２ａには長尺状の取付板７６が配置され、この取付板７６とともに固定手段により側面カバー７の上面７２と荷受台２の側部とが固定されている。側面カバー７の側面７３には、底部が幅広に形成された側面凹部７３ａが長手方向に亘って形成され、側面凹部７３ａには長尺状の化粧板７７が嵌入配置されている。側面カバー７の上面７２には、上面凹部７２ａよりも外側に中空状のストッパ７５が長手方向に沿って突設されている。【選択図】  図２
2004262317.tif 000002
【特許請求の範囲】
【請求項１】
荷台と地上との間で荷受台が昇降自在に設けられるとともに、該荷受台の両側部に側面カバーが設けられた荷受台昇降装置において、
前記側面カバーの上面には、上面凹部がその長手方向に亘って形成され、当該上面凹部には長尺状の取付板が配置され、この取付板とともに固定手段により側面カバーの上面と荷受台の側部とが固定されてなることを特徴とする荷受台昇降装置における荷受台の側面カバー。
【請求項２】
前記側面カバーの側面には、底部が幅広に形成された側面凹部が長手方向に亘って形成され、当該側面凹部には長尺状の化粧板が嵌入配置されたことを特徴とする請求項１記載の荷受台昇降装置における荷受台の側面カバー。
【請求項３】
前記側面カバーの上面には、前記上面凹部よりも外側に中空状のストッパが長手方向に沿って突設されてなることを特徴とする請求項１又は２記載の荷受台昇降装置における荷受台の側面カバー。
【発明の詳細な説明】
【０００１】
【発明の属する技術分野】
本発明は、荷台と地上との間で荷受台が昇降自在に設けられた荷受台昇降装置に関し、特に荷受台の側部を覆う側面カバーに関するものである。
【０００２】
【従来の技術】
従来、貨物車輌の荷台後端部に荷受台が例えばリンク機構を介して昇降自在に設けられた荷受台昇降装置が多数提供されている。
【０００３】
この荷受台昇降装置は、荷受台が荷台と略面一な最上昇位置と地上に接地する最下降位置との間で昇降自在になされ、下降時において荷受台が地上に接地する最下降位置に達すると傾動動作に移行して荷受台の先端を地上に接地させるようにしている。また、上記最上昇位置において荷受台を荷台側に回動させて起立状態にすることで格納し、走行等を行うようにしている。
【０００４】
そして、このような荷受台の側部にはその前後に亘って側面カバーを設けたものがあり、この側面カバーは、複数のビスによって上面、側面及び下面から荷受台の側部にねじ込むことによって当該荷受台に一体的に固定されている（例えば、特許文献１参照。）。
【０００５】
【特許文献１】
特開２００１−２１３２１８号公報
【０００６】
【発明が解決しようとする課題】
しかしながら、上記従来のものでは、側面カバーの上面等を直接ビスで荷受台側にねじ込んで当該側面カバーを固定しているため、これらビスで固定した部分に負荷が集中的にかかることになる。これにより側面カバーのこの部分で割れや変形を招き、荷受台からの脱落を招く場合もあるという問題があった。特に、側面カバーの上面に、荷受台上での台車や荷物等の脱落を防止するために突起状のストッパを設けている場合、このストッパに台車や荷物が当接すると、その際の衝撃がビスの部分に集中的にかかるため、側面カバーのこの部分での割れや変形をさらに招きやすいという問題があった。
【０００７】
また、荷受台の側部は、常に人の目に触れる部位であることから、この部位に複数のビスが露出していると、外観が悪く、美観を損ねるという問題があった。
【０００８】
本発明は、上記問題点に鑑みてなされたもので、その目的とするところは、固定部分での割れや変形を防止して、且つ外観もよい荷受台昇降装置における荷受台の側面カバーを提供することにある。
【０００９】
【課題を解決するための手段】
請求項１に係る発明の荷受台昇降装置における荷受台の側面カバーは、荷台と地上との間で荷受台が昇降自在に設けられるとともに、該荷受台の両側部に側面カバーが設けられた荷受台昇降装置において、前記側面カバーの上面には、上面凹部がその長手方向に亘って形成され、当該上面凹部には長尺状の取付板が配置され、この取付板ととともに固定手段により側面カバーの上面と荷受台の側部とが固定されてなるものである。
【００１０】
請求項２に係る発明の荷受台昇降装置における荷受台の側面カバーは、前記側面カバーの側面には、底部が幅広に形成された側面凹部が長手方向に亘って形成され、当該側面凹部には長尺状の化粧板が嵌入配置されたものである。
【００１１】
請求項３に係る発明の荷受台昇降装置における荷受台の側面カバーは、前記側面カバーの上面には、前記上面凹部よりも外側に中空状のストッパが長手方向に沿って突設されてなるものである。
【００１２】
【発明の実施の形態】
以下、本発明の実施の形態を図面を参照して説明する。
【００１３】
図１は、貨物車輌に設けられた荷受台昇降装置の概略構成を示している。
【００１４】
図１において、１は、貨物車輌の荷台１１後部に設けられた荷受台昇降装置である。
【００１５】
この荷受台昇降装置１は、リンク機構を介して荷受台２が昇降自在に設けられたものである。
【００１６】
具体的には、車体枠１２の後部に設けられた取付部材（図示省略）の上部に上部リンク３の基端部が枢支されるとともに、同じく取付部材の下部に下部リンク４の基端部が枢支され、これら上部リンク３及び下部リンク４の先端部が荷受台２の基端部にブラケット５を介して枢支されている。
【００１７】
そして、上部リンク３をリフトシリンダ６の伸縮作動により基端部を中心にして上下に回動させることで、荷受台２が水平状態を保持して地上と荷台１１の床面との間で昇降自在になされている。
【００１８】
また、荷受台２は、走行時等において図示はしないが図１に示す水平状態から荷台１１の後面に沿って起立する格納状態に配置されるようになされている。
【００１９】
ところで、この荷受台２は、基端部から先端部にかけて分割された複数の荷受部材２１（図３及び図４参照）を連結することによって構成されている。
【００２０】
そして、このように構成された荷受台２の側部には側面カバー７が設けられている。この側面カバー７は、カバー本体７１と、ストッパ７５とで構成されている。
【００２１】
カバー本体７１は、図２に示すように上面７２、側面７３、下面７４によって断面コ字状に形成されており、荷受台２の側部に嵌入した状態でリベット８１、８２、ビス８３によって固定されている。
【００２２】
具体的には、上面７２の内側寄りにはその長手方向に沿って上面凹部７２ａが形成されており、この上面凹部７２ａに図３に示す長尺状の取付板７６が嵌入されている。そして、この取付板７６とともに複数のリベット（固定手段）８１によって上面７２の複数箇所を所定の間隔を隔てて荷受台２の側部に固定している。
【００２３】
このように取付板７６を介してリベット８１によって固定することで、このリベット８１止めによりその固定部分にかかる負荷を取付板７６によって分散させることができ、これにより固定部分での割れや変形を防止することができる。なお、固定手段は、リベット８１に限らず、例えばビスなどであってもよい。
【００２４】
また、側面７３には、長手方向に沿って側面凹部７３ａが形成されている。この側面凹部７３ａは底部にかけて幅広に形成されており、その底面がビス８３によって荷受台２の側部に固定されている。具体的には、図４に示すように前述した荷受台２を構成する各荷受部材２１のそれぞれつなぎ目にビス８３をねじ込むことで側面７３を固定している。
【００２５】
そして、この側面凹部７３ａには、当該側面凹部７３ａに対応する形状の化粧板７７を嵌め込んでおり、当該化粧板７７によって上記各ビス８３を被覆している。従って、常に人の目に触れる部位である側面７３は、複数のビス８３によって荷受台２の側部に止着されているものの、これらビス８３を化粧板７７によって被覆することで、当該ビス８３が外部に露出することがない。これにより外観を損なうことなく、スマートな感じを与えることができる。なお、この化粧板７７はカバー本体７１の端部から側面凹部７３ａに沿ってスライドさせることで容易に取付けることができるとともに、取外すことができる。
【００２６】
前記下面７４は、複数のビス８２によって荷受台２の側部に固定されている。
【００２７】
一方、ストッパ７５は、荷受台２上の台車や荷物の落下を防止するためのもので、前記上面７１の外側にその長手方向に亘って立設されている。このストッパ７５の内部は中空状に形成されており、前記カバー本体７１と一体的に形成されている。
【００２８】
このように構成された側面カバー７は、例えば合成樹脂で押出し成形により成形することができ、この際にストッパ７５を中空状にしていることで、当該ストッパ７５の部分でのヒケや変形の発生を防止するようにしている。
【００２９】
なお、本実施の形態では、荷受台２をリンク機構により昇降させる荷受台昇降装置について説明したが、昇降機構はリンク機構に限らず、例えば立設された支柱に沿って昇降するタイプの荷受台昇降装置でもよい。
【００３０】
【発明の効果】
以上述べたように、本発明の荷受台昇降装置における荷受台の側面カバーによれば、取付板を介して固定手段により側面カバーの上面と荷受台の側部とを固定することで、固定部分にかかる荷重を取付板によって分散させることができ、これにより当該固定部分での割れや変形を防止することができる。
【００３１】
また、化粧板によって側面を被覆することで、この側面を固定する固定手段が外部に露出することがなく、これにより外観を損なうことがない。
【図面の簡単な説明】
【図１】貨物車輌に設けた荷受台昇降装置の概略構成を示す側面図である。
【図２】側面カバーを示す断面図である。
【図３】側面カバーの取付け状態を示す平面図である。
【図４】側面カバーの取付け状態を示す側面図である。
【符号の説明】
１  荷受台昇降装置
７  側面カバー
７１  カバー本体
７２  上面
７２ａ  上面凹部
７３  側面
７３ａ  側面凹部
７５  ストッパ
７６  取付板
７７  化粧板
【図１】
2004262317.tif 000003
【図２】
2004262317.tif 000004
【図３】
2004262317.tif 000005
【図４】
2004262317.tif 000006